(57)【要約】【課題】無駄な位置登録シーケンスを最小限に抑えることで、処理輻輳を防止する通信制御装置等を提供する。【解決手段】任意の移動機１３０ａの無線通信を制御するホーム無線基地局１２０ａを制御する上位装置１１０において、前記ホーム無線基地局１２０ａから周期的に送信される、前記移動機１３０ａの在圏状態を制御するための同期用信号、及び前記移動機１３０ａが位置登録を行うために必要なシステムに関する報知情報に基づいて、前記移動機１３０ａから送信された位置情報を、当該移動機１３０ごとに登録し、登録された位置情報に基づいて、前記ホーム無線基地局１２０ａに対して、前記報知情報の送信を制限するための指示信号を送信する。【選択図】図１
2010098596.tif 000002
【特許請求の範囲】
【請求項１】
任意の移動機の無線通信を制御する専用の無線基地局の処理を制御する通信制御装置において、
前記専用の無線基地局から周期的に送信される、前記移動機の在圏状態を制御するための同期用信号、及び前記移動機が位置登録を行うために必要なシステムに関する報知情報に基づいて、前記移動機から送信された位置情報を、当該移動機ごとに登録する位置情報登録手段と、
前記位置情報登録手段に登録された位置情報に基づいて、前記専用の無線基地局に対して、前記報知情報の送信を制限するための指示信号を送信する制限指示信号送信手段とを備える通信制御装置。
【請求項２】
請求項１に記載の通信制御装置において、
前記専用の無線基地局が制御する移動機が複数登録されており、
前記制限指示信号送信手段が、前記専用の無線基地局における前記登録された移動機の在圏数に基づいて、前記報知情報の送信間隔の長短、送信停止、及び送信開始を指示する通信制御装置。
【請求項３】
請求項１又は２に記載の通信制御装置において、
前記位置情報登録手段が、前記移動機ごとのスケジュールに関するスケジュール情報を登録し、前記制限指示信号送信手段が、前記位置情報登録手段に登録されたスケジュール情報に基づいて前記報知情報の送信の制御を指示する通信制御装置。
【請求項４】
請求項１ないし３のいずれかに記載の通信制御装置において、
前記制限指示信号送信手段が、前記移動機ごとの位置登録の失敗に関する失敗情報に基づいて、所定の期間内にある回数以上の位置登録を失敗した移動機がある場合には、報知情報の送信間隔を長く、又は送信停止を指示する通信制御装置。
【請求項５】
任意の移動機の無線通信を制御する専用の無線基地局を有する無線ネットワークシステムにおいて、
前記移動機の在圏状態を制御するための同期用信号、及び前記移動機が位置登録を行うために必要なシステムに関する報知情報を、前記専用の無線基地局から周期的に送信する周期信号送信手段と、
前記周期信号送信手段が送信する同期用信号、及び報知情報を受信して、前記移動機の位置情報を送信する位置情報送信手段と、
前記位置情報送信手段が送信した位置情報を、前記移動機ごとに登録する位置情報登録手段と、
前記位置情報登録手段に登録された位置情報に基づいて、前記専用の無線基地局からの前記報知情報の送信を制限する報知情報送信制御手段とを備える無線ネットワークシステム。
【請求項６】
任意の移動機の無線通信を制御する専用の無線基地局の処理を制御する通信制御方法において、
前記専用の無線基地局から周期的に送信される、前記移動機の在圏状態を制御するための同期用信号、及び前記移動機が位置登録を行うために必要なシステムに関する報知情報に基づいて、前記移動機から送信された位置情報を、当該移動機ごとに登録する位置情報登録ステップと、
前記位置情報登録ステップで登録された位置情報に基づいて、前記専用の無線基地局に対して、前記報知情報の送信を制限するための指示信号を送信する制限指示信号送信ステップとを含む通信制御方法。
【請求項７】
任意の移動機の無線通信を制御する専用の無線基地局の処理を制御するようにコンピュータを機能させる通信制御プログラムにおいて、
前記専用の無線基地局から周期的に送信される、前記移動機の在圏状態を制御するための同期用信号、及び前記移動機が位置登録を行うために必要なシステムに関する報知情報に基づいて、前記移動機から送信された位置情報を、当該移動機ごとに登録する位置情報登録手段、
前記位置情報登録手段に登録された位置情報に基づいて、前記専用の無線基地局に対して、前記報知情報の送信を制限するための指示信号を送信する制限指示信号送信手段としてコンピュータを機能させる通信制御プログラム。
【発明の詳細な説明】
【技術分野】
【０００１】
本発明は、無線通信を行う移動機の通信制御を行う通信制御装置に関し、特に任意の移動機の専用の無線基地局を有する無線ネットワークシステムにおける通信制御を行う通信制御装置等に関する。
【背景技術】
【０００２】
無線ネットワークシステムにおいて、無線基地局の小型化、小容量化が進み、フェムトセルやＨｏｍｅ  ＮｏｄｅＢが注目されている。無線基地局が小型化し、小容量の無線基地局が大量に導入された場合、特定のユーザ専用のホーム無線基地局を運用することが求められている。
【０００３】
無線ネットワークシステムにおいて、無線基地局はシステム情報を保持しており、配下セルに報知情報としてシステム情報を同報配信する。配下セルに在圏する移動機は、当該報知情報を受信して、運用に必要な各種セル情報を得て無線基地局に対して位置登録要求を送信し、網側から受け入れられた場合に、発着信の待ち受け状態に遷移する。網側では、この位置登録要求の受信により移動機の在圏情報を管理し、着信時に該当端末の検索に使用している。
【０００４】
移動機の位置登録までの流れを図１１に示す。ホーム無線基地局の同期用信号を移動機が受信した場合、移動機はセルサーチ処理を実施し、電波の受信強度が十分に強い場合には、該当セルを使用してホーム無線基地局に対して位置登録要求を送信する。移動機が登録されている場合は、位置登録処理の認証が許可され、ホーム無線基地局配下で待ち受け状態になる。一方、移動機が登録されていない場合は、位置登録処理の認証で拒否され、ホーム無線基地局配下で待ち受け状態になることはない。
また、上記に関連して、特許文献１に、移動基地局が移動機からの位置登録要求受信時に、予め登録された移動機にしか使用許可を出さない技術が開示されている。
【特許文献１】特開２００７−１３２４２号公報
【発明の開示】
【発明が解決しようとする課題】
【０００５】
しかしながら、上記背景技術に示すように、移動機が登録されていない場合に、位置登録処理の認証で拒否されるような場合には、無駄な位置登録シーケンスが動作するため、以下の課題が存在する。
【０００６】
（１）登録されていない移動機は、位置登録が拒否されるまでアクセス不可であることがわからない。加えて、位置登録が拒否された後、セル選択を再度実施する必要があるため、位置登録実施、及び位置登録失敗が連続して繰り返され、移動機の無駄な電池消耗の原因となってしまう。（２）ホーム無線基地局の無線容量が少ない場合が多く、登録されていない移動機が位置登録のために無線リソースを使用すると、登録されている専用ユーザが使用するリソースが減少してしまう。これは、同期信号、及び報知情報については共通のチャネルを用いた不特定多数向けの通信であるが、位置登録は、発着信と同じく個別チャネルを用いた通信であるためである。（３）位置登録要求は、上位ノードで終端されるため、上位ノードの処理輻輳を招くおそれがある。
【０００７】
上記課題について、ホーム無線基地局の報知情報に含まれる「位置登録エリア」を周囲の無線基地局と同じに設定し、位置登録エリアが同じである間は、位置登録シーケンスを動作させないようにすることで、位置登録要求の削減を見込めるが、周囲の無線基地局向けの着信が、ホーム無線基地局に送信されてしまうため、上記（２）の課題を払拭できない。また、ホーム無線基地局ごとにユニークなＩＤを設定し、報知情報として同報配信し、移動機側にもこのＩＤを登録しておくことで、ホーム無線基地局の認証が可能となるが、ホーム無線基地局が増加した場合に、ＩＤの管理に限界があると共に、ホーム無線基地局に登録されない全ての移動機に、このＩＤ等の登録や処理変更が必要となってしまう。無線基地局の小型化にあたり、既存の移動機全てに処理変更を行うことは現実的ではないため、既存の移動機に処理変更を加えることなく、ネットワーク側の処理変更のみで、上記課題を解決する技術が望まれる。
【０００８】
特許文献１に示す技術では、このような課題を解決することができない。
そこで、本発明は上記課題を解決するためになされたものであり、無駄な位置登録シーケンスを最小限に抑えることで、処理輻輳を防止する通信制御装置等を提供することを目的とする。
【課題を解決するための手段】
【０００９】
（１．通信制御装置）
本願に開示する通信制御装置は、任意の移動機の無線通信を制御する専用の無線基地局を制御する通信制御装置において、前記専用の無線基地局から周期的に送信される、前記移動機の在圏状態を制御するための同期用信号、及び前記移動機が位置登録を行うために必要なシステムに関する報知情報に基づいて、前記移動機から送信された位置情報を、当該移動機ごとに登録する位置情報登録手段と、前記位置情報登録手段に登録された位置情報に基づいて、前記専用の無線基地局に対して、前記報知情報の送信を制限するための指示信号を送信する制限指示信号送信手段とを備えるものである。
【００１０】
このように、本願に開示する通信制御装置は、専用の無線基地局から周期的に送信される、移動機の在圏状態を制御するための同期用信号、及び前記移動機が位置登録を行うために必要なシステムに関する報知情報に基づいて、前記移動機から送信された位置情報を、当該移動機ごとに登録し、登録された位置情報に基づいて、前記専用の無線基地局に対して、前記報知情報の送信を制限するための指示信号を送信するため、例えば、専用の無線基地局内で、登録されている移動機の位置情報により、在圏状態になっていると判断される場合には報知情報の送信が制限され、登録されていない移動機による無駄な位置登録シーケンスの発生を最小限に抑えることができ、上位装置の処理輻輳を防止し、登録されている移動機が無線リソースを小さい容量の中で効率よく使用することができるという効果を奏する。
【００１１】
また、報知情報の送信が停止された場合には、登録されていない移動機について、位置登録が拒否されるまでアクセス不可であることがわからないといった問題の発生を防止し、位置登録実施、及び位置登録失敗が連続して繰り返され、移動機の電池が無駄に消耗されるといった問題を防止することができる。
【００１２】
（２．複数の移動機の登録）
本願に開示する通信制御装置は、前記専用の無線基地局が制御する移動機が複数登録されており、前記制限指示信号送信手段が、前記専用の無線基地局における前記登録された移動機の在圏数に基づいて、前記報知情報の送信間隔の長短、送信停止、及び送信開始を指示するものである。
【００１３】
（３．スケジュールの登録）
本願に開示する通信制御装置は、前記位置情報登録手段が、前記移動機ごとのスケジュールに関するスケジュール情報を登録し、前記制限指示信号送信手段が、前記位置情報登録手段に登録されたスケジュール情報に基づいて前記報知情報の送信の制御を指示するものである。
【００１４】
（４．失敗情報の管理）
本願に開示する通信制御装置は、前記制限指示信号送信手段が、前記移動機ごとの位置登録の失敗に関する失敗情報に基づいて、所定の期間内にある回数以上の位置登録を失敗した移動機がある場合には、報知情報の送信間隔を長く、又は送信停止を指示するものである。
【００１５】
（５．無線ネットワークシステム）
本願に開示する無線ネットワークシステムは、任意の移動機の無線通信を制御する専用の無線基地局を有する無線ネットワークシステムにおいて、前記移動機の在圏状態を制御するための同期用信号、及び前記移動機が位置登録を行うために必要なシステムに関する報知情報を、前記専用の無線基地局から周期的に送信する周期信号送信手段と、前記周期信号送信手段が送信する同期用信号、及び報知情報を受信して、前記移動機の位置情報を送信する位置情報送信手段と、前記位置情報送信手段が送信した位置情報を、前記移動機ごとに登録する位置情報登録手段と、前記位置情報登録手段に登録された位置情報に基づいて、前記専用の無線基地局からの前記報知情報の送信を制限する報知情報送信制御手段とを備えるものである。
【００１６】
これまで、本発明を装置、及びシステムとして示したが、所謂当業者であれば明らかであるように本発明を方法、及び、プログラムとして捉えることもできる。これら前記の発明の概要は、本発明に必須となる特徴を列挙したものではなく、これら複数の特徴のサブコンビネーションも発明となり得る。
【００１７】
すなわち、本願に開示する無線ネットワークシステムの構成要素または構成要素の任意の組合せを、方法、装置、回路、システム、コンピュータプログラム、記録媒体、データ構造などに適用したものも、他の態様として有効である。
【発明を実施するための最良の形態】
【００１８】
以下、本発明の実施の形態を説明する。本発明は多くの異なる形態で実施可能である。従って、本実施形態の記載内容のみで本発明を解釈すべきではない。また、本実施形態の全体を通して同じ要素には同じ符号を付けている。
【００１９】
以下の実施の形態では、主にシステムについて説明するが、所謂当業者であれば明らかな通り、本発明は装置、方法、及び、コンピュータを動作させるためのプログラムとしても実施できる。また、本発明はハードウェア、ソフトウェア、または、ハードウェア及びソフトウェアの実施形態で実施可能である。プログラムは、ハードディスク、ＣＤ−ＲＯＭ、ＤＶＤ−ＲＯＭ、光記憶装置、または、磁気記憶装置等の任意のコンピュータ可読媒体に記録できる。さらに、プログラムはネットワークを介した他のコンピュータに記録することができる。
【００２０】
（本発明の第１の実施形態）
本実施形態に係る無線ネットワークシステムについて、図１ないし図４を用いて説明する。図１は、本実施形態に係る無線ネットワークシステムのシステム構成図、図２は、本実施形態に係る無線ネットワークシステムを構成する装置の機能ブロック図、図３は、本実施形態に係る無線ネットワークシステムの動作を示すフローチャート、図４は、本実施形態に係る無線ネットワークシステムの動作を説明するための図である。
【００２１】
（１．構成）
以下に、本実施形態に係る無線ネットワークシステムの構成について説明する。
図１において、無線ネットワークシステム１は、上位装置１１０と無線基地局１２０と移動機１３０とを備える。
【００２２】
上位装置１１０は、無線アクセス網と一般回線交換網を接続する装置であり、無線アクセス網からの呼接続（位置登録）要求が当該交換網外の場合は、対上位装置との接続制御を行う。交換網外からの着信要求の場合は、着信先移動機１３０の位置情報が、当該交換網内のときに、当該エリアの無線交換機１２０に着信信号を同報する。
【００２３】
無線基地局１２０は、複数の小無線ゾーン（セル）制御を行い、複数セルを介して複数移動機１３０との多重通信を可能とし、移動機１３０からの呼制御信号（発信、位置登録）を上位装置１１０に中継する機能と、上位装置１１０からの無線回線制御信号を移動機１３０に中継する機能を具備する。
【００２４】
移動機１３０は、無線基地局１２０を経由した上位装置１１０に対する接続要求信号の送信を契機に交換網との接続を行い、位置登録や通常の呼接続等を行う。
【００２５】
上位装置１１０には、無線基地局１２０（１２０ａ〜１２０ｎ）が接続されており、この無線基地局１２０を経由して移動機１３０（１３０ａ〜１３０ｎ）と無線制御信号の送受信を行う。無線基地局１２０ａは、ホーム無線基地局であり、エリア１２１ａ内にある移動機１３０ａの無線通信を制御する。無線基地局１２０は、通常の無線基地局であり、エリア１２１内にある移動機１３０の無線通信を制御する。
【００２６】
なお、エリア１２１は、複数のセルに分けられており、無線基地局１２０は、分けられたセルごとに通信制御を行う。分けられるセルの数は、管理者が任意に設定することができ、エリア１２１全体を１つのセルとしてもよい。
【００２７】
また、専用のホーム無線基地局１２０ａに登録されている場合は、エリア１２１ａにおいて、ホーム無線基地局１２０ａの配下で待ち受け状態となり、登録されていなければ、エリア１２１ａにおいても、無線基地局１２０の配下での待ち受け状態となる。
【００２８】
無線ネットワークシステム１においては、予め登録されている移動機１３０ａがホーム無線基地局１２０ａの配下に移動してきた場合に、移動機１３０ａからの位置登録要求を契機に必要条件を判断し、配下セルに対する同期用信号は送信し続けたまま、報知情報の送信のみを制御し、他の移動機がそれ以降、無駄な位置登録要求を行うことを抑止する。無線基地局１２０からの全ての無線信号を停止してしまうと、全ての移動機が通信不能となってしまうが、同期用信号の送信は継続したまま、報知情報の送信のみを制御することで、予め登録されている移動機の通信は継続可能となる。
【００２９】
図２は、ネットワークシステム１を構成する各装置の機能ブロック図である。位置情報管理サーバ１１５は、移動機の位置情報を管理するサーバであり、移動機情報２０５を備える。上位装置１１０は、サーバアクセス部２１１と位置登録制御部２１２と上位側制御信号送受信部２１３とホーム情報判定部２１４と報知情報制御部２１５とを備える。無線基地局１２０は、基地局側制御信号送受信部（有線）２２１と無線制御部２２２と基地局側制御信号送受信部（無線）２２３とを備える。
なお、上位装置１１０と位置情報管理サーバ１１５は一体的な装置として捉えてもよいし、複数の上位装置１１０と接続し、一括管理する構成であってもよい。
【００３０】
移動機情報２０５は、移動機１３０に関する情報を管理するデータ部である。ここでは、移動機ごとに、移動機識別情報、登録しているホーム無線基地局、現在の無線基地局の情報を格納している。
【００３１】
サーバアクセス部２１１は、位置情報管理サーバ１１５にて管理されている移動機情報２０５を、移動機１３０からの位置登録要求に従って更新する処理を行う。
【００３２】
位置登録制御部２１２は、上位側制御信号送受信部２１３から送られる制御信号に基づいて、位置登録要求信号である場合には、当該位置登録要求信号をサーバアクセス部２１１に送信する。また、サーバアクセス部２１１による移動機情報２０５の更新が完了した際には、当該更新が完了した旨の信号を報知情報制御部２１５に通知する。
【００３３】
上位側制御信号送受信部２１３は、無線基地局１２０からの信号を受信すると共に、報知情報制御部２１５から通知された制御指示信号に基づく、報知情報を制御するための制御信号を無線基地局１２０に送信する処理を行う。
【００３４】
ホーム情報判定部２１４は、報知情報制御部２１５からの指示により、サーバアクセス部２１１が更新した移動機情報２０５の位置情報に基づいて、ホーム無線基地局に移動機１３０が在圏するかどうかを判定する処理を行う。
【００３５】
報知情報制御部２１５は、位置登録制御部２１２からの移動機情報２０５の更新が完了した旨の通知に基づいて、ホーム情報判定部２１４に判定指示を行う。また、ホーム情報判定部２１４による判定結果に基づいて、報知情報の制限を設定し、制御指示信号を上位側制御信号送受信部２１３に通知する。
【００３６】
基地局側制御信号送受信部（有線）２２１は、移動機１３０からの位置登録要求信号を上位装置１１０に送信すると共に、上位装置１１０からの指示信号を受信する処理を行う。無線基地局１２０と上位装置１１０との間は有線により接続されているため、信号の送受信は有線にて行われる。
【００３７】
無線制御部２２２は、基地局側制御信号送受信部（無線）２２３からの信号を基地局側制御信号送受信部（有線）２２１に送信すると共に、基地局側制御信号送受信部（有線）２２１からの信号に基づいて、報知情報の送信を制御する処理を行う。
【００３８】
基地局側制御信号送受信部（無線）２２３は、移動機１３０からの信号を受信し、無線制御部２２２に送ると共に、無線制御部２２２からの制御信号を移動機１３０に送信する処理を行う。基地局側制御信号送受信部（無線）２２３と移動機１３０との間は無線により接続されるため、信号の送受信は無線にて行われる。
以上が、本実施形態に係る無線ネットワークシステムの構成についての説明である。
【００３９】
（２．動作）
以下に、本実施形態に係る無線ネットワークシステムの動作について説明する。
図３において、まず、移動機１３０ａがホーム無線基地局１２０ａの配下であるエリア１２１ａに移動すると、無線基地局１２０ａからの同期用信号を受信し（ステップＳ３０１）、さらに、無線基地局１２０ａからの報知情報を受信する（ステップＳ３０２）。電波強度が十分に強い場合には、移動機１３０ａが、ホーム無線基地局１２０ａに対して位置登録要求を送信する。ホーム無線基地局１２０ａの基地局側制御信号送受信部（無線）２２３は、送信された位置登録要求を受信し、無線制御部２２２から基地局側制御信号送受信部（有線）２２１を介して、上位装置１１０の上位側制御信号送受信部２１３に位置登録要求が送信される（ステップＳ３０３）。上位側制御信号送受信部２１３で受信された位置登録要求に基づいて、位置登録制御部２１２からサーバアクセス部２１１を介して位置登録管理サーバの移動機情報２０５が更新される（ステップＳ３０４）。
【００４０】
位置登録制御部２１２から、移動機情報２０５の更新が完了した旨の通知、及び更新内容を受けた報知情報制御部２１５は、移動機情報２０５の「現在の無線基地局」と「ホーム無線基地局」の情報と共に、ホーム情報判定部２１４に判定指示信号を送信し、ホーム情報判定部２１４が、移動機１３０ａの移動について、登録されているホーム無線基地局１２０ａへの移動であるかどうかを判定する（ステップＳ３０５）。登録されているホーム無線基地局１２０ａへの移動であれば、報知情報制御部２１５から上位側制御信号送受信部２１３を経由してホーム無線基地局１２０ａの無線制御部２２２に、報知情報の送信を制限するための指示信号が送信される（ステップＳ３０６）。指示信号を受信した無線制御部２２２は、報知情報の送信を制限、又は停止する（ステップＳ３０７）。そして、移動機１３０ａは、ホーム無線基地局１２０ａの配下での待ち受け状態に遷移して（ステップＳ３１１）、処理を終了する。
【００４１】
この登録されているホーム無線基地局１２０ａへの移動の動作を図４（ａ）に示す。ここでは、移動機１３０ａが一般的な無線基地局１２０の配下から、登録されているホーム無線基地局１２０ａに移動している。ホーム無線基地局１２０ａの配下に移動すると、移動機１３０ａから位置登録要求が送信され、位置登録シーケンスが動作する。位置登録要求に基づいて、移動機情報２０５の現在地が無線基地局１２０ａに更新され、ホーム＝無線基地局１２０ａ、及び現在地＝無線基地局１２０ａの情報に基づいて、ホーム無線基地局１２０ａからの報知情報の送信を制限、又は停止する処理が行われる。
【００４２】
図３に戻って、ステップＳ３０５で、登録されているホーム無線基地局１２０ａへの移動ではない場合は、登録されたホーム無線基地局１２０ａからの移動であるかどうかが判定される（ステップＳ３０８）。この判定は、移動機情報２０５における更新前の「現在の無線基地局」と「ホーム無線基地局」とが同じであるかどうかで判定することができる。登録された無線基地局１２０ａからの移動ではない場合は、通常の無線基地局１２０の配下での待ち受け状態に遷移して（ステップＳ３１１）、処理を終了する。登録された無線基地局１２０ａからの移動である場合は、報知情報制御部２１５から上位側制御信号送受信部２１３を経由してホーム無線基地局１２０ａの無線制御部２２２に、報知情報の送信制限を解除するための指示信号が送信される（ステップＳ３０９）。指示信号を受信した無線制御部２２２は、報知情報の送信制限、又は停止を解除する（ステップＳ３１０）。そして、移動機１３０ａは、通常の無線基地局１２０の配下での待ち受け状態に遷移して（ステップＳ３１１）、処理を終了する。
【００４３】
この登録されているホーム無線基地局１２０ａからの移動の動作を図４（ｂ）に示す。ここでは、移動機１３０ａが登録されているホーム無線基地局１２０ａの配下から、一般的な無線基地局１２０に移動している。ホーム無線基地局１２０の配下に移動すると、移動機１３０ａから位置登録要求が送信され、位置登録シーケンスが動作する。位置登録要求に基づいて、移動機情報２０５の現在地が無線基地局１２０に更新され、更新前の現在地＝無線基地局１２０ａ、及び更新後の現在地＝無線基地局１２０の情報に基づいて、ホーム無線基地局１２０ａからの報知情報の送信を制限、又は停止を解除する処理が行われる。
【００４４】
なお、報知情報の送信については、制限、停止、及び開始等の制御がなされるが、同期用信号については、本願に係る発明による特別な制御は行わない。
以上が、本実施形態に係る無線ネットワークシステムの動作についての説明である。
【００４５】
このように、本実施形態に係る無線ネットワークシステムによれば、専用の無線基地局における移動機の在圏状態を制御するための同期用信号、及び前記移動機が位置登録を行うために必要なシステムに関する報知情報を、当該専用の無線基地局から周期的に送信する周期信号送信手段と、同期用信号、及び報知情報を受信して、前記移動機の位置情報を送信する位置情報送信手段と、送信した位置情報を、前記移動機ごとに登録する位置情報登録手段と、登録された位置情報に基づいて、前記専用の無線基地局からの前記報知情報の送信を制限する報知情報送信制御手段とを備えるため、専用の無線基地局内で、登録されている移動機が在圏状態になっている場合には報知情報の送信が制限され、登録されていない移動機による無駄な位置登録シーケンスの発生を最小限に抑えることができ、上位装置の処理輻輳を防止し、登録されている移動機が無線リソースを小さい容量の中で効率よく使用することができる。
【００４６】
また、報知情報の送信が停止された場合には、登録されていない移動機について、位置登録が拒否されるまでアクセス不可であることがわからないといった問題の発生を防止し、位置登録実施、及び位置登録失敗が連続して繰り返され、移動機の電池が無駄に消耗されるといった問題を防止することができる。
【００４７】
（本発明の第２の実施形態）
本実施形態に係る無線ネットワークシステムについて、図５、及び図６を用いて説明する。図５は、本実施形態に係る無線ネットワークシステムを構成する装置の機能ブロック図、図６は、本実施形態に係る無線ネットワークシステムの動作を示すフローチャートである。
【００４８】
本実施形態に係る無線ネットワークシステムは、ホーム無線基地局１２０ａが制御する移動機１３０が複数登録されており、ホーム無線基地局１２０ａにおける登録された移動機の在圏数に基づいて、報知情報の送信間隔の長短、送信停止、及び送信開始を制御するものである。
【００４９】
ホーム無線基地局１２０ａにおける在圏数が登録されている移動機１３０の数と同じ（登録されている全ての移動機１３０がホーム無線基地局１２０ａのエリア１２１ａ内にある）場合には、位置登録シーケンスを動作させる必要がないため、報知情報の送信を停止する。一部が在圏している場合には、在圏していない移動機１３０の位置登録シーケンスを動作させるために報知情報を送信する必要があるが、送信間隔を在圏数に応じて可変させる。つまり、登録されている移動機１３０の数に対する在圏数の割合が高いほど、報知情報を受信する必要性が高い移動機１３０が少ないため、送信間隔を長くし、登録されている移動機１３０の数に対する在圏数の割合が低いほど、報知情報を受信する必要性が高い移動機１３０が多くなるため、送信間隔を短く制御する。
【００５０】
（１．構成）
以下に、本実施形態に係る無線ネットワークシステムの構成について説明する。なお、ここでは、第１の実施形態に係る無線ネットワークシステムの説明と重複する説明については省略する。
図５において、図２の場合と異なるのは、無線基地局１２０に移動機在圏数５１０を備える点である。この移動機在圏数５１０は、ホーム無線基地局１２０ａに登録されている移動機１３０ａの在圏数を格納するデータ部である。
【００５１】
無線基地局１２０の無線制御部２２２は、移動機在圏数５１０を在圏している移動機１３０の数に基づいて更新を行うと共に、格納されている在圏数を読み込み、基地局側制御信号送受信部２２１を経由して上位装置１１０に通知する。在圏数が通知された上位装置１１０では、登録されている移動機１３０の数に対する在圏数の割合に基づいて、報知情報の送信間隔を設定し、制御信号を無線基地局１２０に返す。制御信号を受信した無線基地局１２０は、その信号に基づいて、報知情報の送信を制御する。
【００５２】
（２．動作）
以下に、本実施形態に係る無線ネットワークシステムの動作について説明する。
図６において、ステップＳ６０１からステップＳ６０５までの処理は、図３におけるステップＳ３０１からステップＳ３０５までの処理と同じであるため説明は省略する。
【００５３】
ステップＳ６０５で登録されたホーム無線基地局１２０ａへの移動かどうかを判定し、登録されたホーム無線基地局１２０ａへの移動であれば、ホーム無線基地局１２０ａの配下であるエリア１２１ａの在圏数に基づく報知情報の送信間隔を設定する（ステップＳ６０６）。ここで設定する送信間隔は、上述したように、在圏数が０の場合は通常の送信間隔で報知情報を送信し、在圏数が増加すると共に、送信間隔を長くし、登録されている全ての移動機１３０が在圏した場合には、報知情報の送信を停止する。
【００５４】
上位装置１１０は、設定された送信間隔に基づいて、ホーム無線基地局１２０ａに、報知情報の送信を制限するための指示信号を送信する（ステップＳ６０７）。指示信号を受信したホーム無線基地局１２０ａは、報知情報の送信を制限、又は停止する（ステップＳ６０８）。そして、移動機１３０ａは、ホーム無線基地局１２０ａの配下での待ち受け状態に遷移して（ステップＳ６１３）、処理を終了する。
【００５５】
ステップＳ６０５で、登録されたホーム無線基地局１２０ａへの移動でなければ、登録されたホーム無線基地局１２０ａからの移動かどうかが判定され（ステップＳ６０９）、登録されたホーム無線基地局１２０ａからの移動でなければ、通常の無線基地局１２０の配下での待ち受け状態に遷移して（ステップＳ６１３）、処理を終了する。登録されたホーム無線基地局１２０ａからの移動であれば、ホーム無線基地局１２０ａの配下であるエリア１２１ａの在圏数に基づく報知情報の送信間隔を設定する（ステップＳ６０６）。ここで設定する送信間隔は、在圏数が減少すると共に、送信間隔を短くし、在圏数が０になった場合は通常の送信間隔で報知情報を送信する。また、全ての移動機１３０が在圏した状態から圏外への移動があった場合には、報知情報の送信を再開する。
【００５６】
上位装置１１０は、設定された送信間隔に基づいて、ホーム無線基地局１２０ａに、報知情報の送信制限を更新するための指示信号を送信する（ステップＳ６１１）。指示信号を受信したホーム無線基地局１２０ａは、報知情報の送信の制限、又は停止を解除する（ステップＳ６１２）。そして、移動機１３０ａは、通常の無線基地局１２０の配下での待ち受け状態に遷移して（ステップＳ６１３）、処理を終了する。
【００５７】
このように、本実施形態に係る無線ネットワークシステムによれば、専用の無線基地局が制御する移動機が複数登録されており、専用の無線基地局における前記登録された移動機の在圏数に基づいて、前記報知情報の送信間隔の長短、送信停止、及び送信開始を制御するため、複数の移動機が専用の無線基地局に登録されている場合に、一部の移動機が在圏しており、他の移動機が在圏していないときに、在圏数が多いほど報知情報の送信間隔を長く（一定時間における報知情報の送信回数を少なく）し、最終的に全ての移動機が在圏したら報知情報の送信を停止することで、在圏していない登録された移動機の位置登録を確実に行いつつ、報知情報の送信を最小限に抑えて、無駄な位置登録シーケンスの動作を防止することができる。
【００５８】
（本発明の第３の実施形態）
本実施形態に係る無線ネットワークシステムについて、図７を用いて説明する。図７は、本実施形態に係る無線ネットワークシステムを構成する装置の機能ブロック図である。
【００５９】
本実施形態に係る無線ネットワークシステムは、移動機ごとのスケジュールに関するスケジュール情報を登録し、登録されたスケジュール情報に基づいて前記報知情報の送信を制御するものである。
【００６０】
スケジュール情報を登録することで、移動機１３０ａが、ホーム無線基地局１２０ａの配下であるエリア１２１ａ内に在圏する期間を把握することができ、登録された期間内はエリア１２１ａ内に移動することがなければ、移動機１３０ａは登録されていないものとして処理することができる。つまり、ホーム無線基地局１２０ａに登録されている移動機が移動機１３０ａだけであれば、移動機１３０ａのスケジュールにおいて、所定の期間エリア１２１ａに移動することがないことがわかれば、その所定の期間は、報知情報の送信を停止させる。ホーム無線基地局１２０ａに登録されている移動機が複数であれば、移動機１３０ａのスケジュールにおいて、所定の期間エリア１２１ａに移動することがないことがわかれば、移動機１３０ａについては、その所定の期間は登録されていないものとして、報知情報の送信を制御する。
【００６１】
（１．構成）
以下に、本実施形態に係る無線ネットワークシステムの構成について説明する。なお、ここでは、第１、又は第２の実施形態に係る無線ネットワークシステムの説明と重複する説明については省略する。
【００６２】
図７において、図２の場合と異なるのは、位置情報管理サーバ１１５にスケジュール管理部７１０を備えることである。このスケジュール管理部７１０は、移動機ごとにスケジュールの情報を管理する管理部である。例えば、移動機１３０ａの所有者が、午前中（８時〜１２時）はエリア１２１ａで作業を行い、午後（１２時〜１７時）はエリア１２１（エリア１２１ａの外）で作業を行うような場合は、スケジュール登録しておくことで、午前中の間は、移動機１３０ａの「現在の無線基地局」がホーム無線基地局１２０ａに設定され、午後になると移動機１３０ａの「現在の無線基地局」が無線基地局１２０に設定変更される。
【００６３】
なお、スケジュールの登録、変更、及び削除は、移動機１３０ａ、又は他の端末から自動、又は手動で行うことができるようにしてもよい。また、スケジュールだけではなく、移動機情報２０５の「ホーム無線基地局」についての登録、変更、及び削除も移動機１３０ａ、又は他の端末から自動、又は手動で行うことができるようにしてもよい。
また、図５に示すように、無線基地局１２０に移動機在圏数５１０を備える構成としてもよい。
以上が、本実施形態に係る無線ネットワークシステムの構成についての説明である。
【００６４】
（２．動作）
以下に、本実施形態に係る無線ネットワークシステムの動作について説明する。まず、移動機１３０ａを操作してスケジュールが登録される。登録されたスケジュールに基づいて、スケジュール管理部７１０が、移動機情報２０５の「現在の無線基地局」を設定変更する。以降の動作は、図３、又は図６に示すフローチャートと同じであるため、説明は省略する。
【００６５】
このように、本実施形態に係る無線ネットワークシステムは、移動機ごとのスケジュールに関するスケジュール情報を登録し、登録されたスケジュール情報に基づいて前記報知情報の送信を制御するため、例えば、専用の無線基地局に所定の期間（例えば、数分、数時間、数日、数週間、数ヶ月等）近づくことがないスケジュールが登録されている場合には、当該スケジュールが登録されている移動機については、その期間登録されていないものとして報知情報の送信を最小限に抑えて制限することができ、無駄な位置登録シーケンスの動作を防止することができる。
【００６６】
（本発明の第４の実施形態）
本実施形態に係る無線ネットワークシステムについて、図８、及び図９を用いて説明する。図８は、本実施形態に係る無線ネットワークシステムを構成する装置の機能ブロック図、図９は、本実施形態に係る無線ネットワークシステムの動作を示すフローチャートである。
【００６７】
本実施形態に係る無線ネットワークシステムは、移動機ごとの位置登録の失敗に関する失敗情報を管理し、所定の期間内にある回数以上の位置登録を失敗した移動機がある場合には、報知情報の送信間隔を長く、又は送信停止に制御するものである。
【００６８】
位置登録の失敗が所定の期間内（例えば、数分、数時間内）にある回数以上起こるということは、登録されていない移動機１３０が、ホーム無線基地局１２０ａの配下であるエリア１２１ａに一時的に近づいている可能性がある。そのような移動機１３０の位置登録シーケンスの動作を抑えるために、報知情報の送信間隔を長く設定し、又は送信停止にする。
【００６９】
また、本実施形態においては、ホーム無線基地局１２０ａに移動機ごとの位置登録の失敗情報を記憶させることで、無駄な位置登録要求を上位装置１１０に上げることなく、失敗をホーム無線基地局１２０ａから折り返して移動機１３０に通知する。そうすることで、上位装置１１０の処理輻輳を軽減することができる。
【００７０】
（１．構成）
以下に、本実施形態に係る無線ネットワークシステムの構成について説明する。なお、ここでは、第１ないし第３の実施形態に係る無線ネットワークシステムの説明と重複する説明については省略する。
【００７１】
図８において、図２の場合と異なるのは、無線基地局１２０に位置情報管理サーバ１１５にて管理される移動機情報２０５の一部である移動機基本情報２０５ａと失敗回数監視部８１０とを備える点である。
【００７２】
移動機基本情報２０５ａは、移動機情報２０５の移動機に関する基本的な情報（移動機識別情報）と、移動機ごとの位置登録に失敗した回数を格納するデータ部である。
【００７３】
失敗回数監視部８１０は、位置登録要求があった移動機１３０に対応する移動機基本情報２０５ａから、当該位置登録要求があった移動機１３０の失敗回数を抽出し、無線制御部２２２に通知する処理を行う。また、移動機１３０ごとに位置登録に失敗した回数をカウントして移動機基本情報２０５ａを更新する処理を行う。
【００７４】
無線基地局１２０から失敗回数を受信した上位装置１１０では、失敗回数が所定の期間内にある回数以上であるかどうかが判定され、失敗回数が所定の期間内にある回数以上である場合には、報知情報制御部２１５により報知情報の送信間隔を長くするための制御指示信号が無線基地局１２０に返される。無線基地局１２０では、制御指示信号に基づいて報知情報の送信間隔が制御される。
【００７５】
また、失敗回数が所定の期間内にある回数以上となった移動機１３０については、それ以降に、所定の期間内の失敗が発生しても上位装置１１０には通知されず、無線基地局１２０で失敗回数の判定がなされ、移動機１３０に直接失敗の通知がなされる。
【００７６】
なお、登録されている移動機１３０ａについては、位置登録の失敗が所定の期間内に連続してある回数以上起こることは考えにくいため、ここでは、登録されていない移動機１３０に位置登録の失敗が対象となる。
【００７７】
また、図５に示すように、無線基地局１２０に移動機在圏数５１０、及び図７に示すように、位置情報管理サーバ１１５にスケジュール管理部７１０を備える構成であってもよい。
以上が、本実施形態に係る無線ネットワークシステムの構成についての説明である。
【００７８】
（２．動作）
以下に、本実施形態に係る無線ネットワークシステムの動作について説明する。図９において、ステップＳ９０１からステップＳ９１２までの処理は、図６におけるステップＳ６０１からステップＳ６１２までの処理と同じであるため説明は省略する。ステップＳ９０９で、登録されたホーム無線基地局１２０ａからの移動ではない場合は、当該移動機１３０がホーム無線基地局１２０ａに登録されていないということになるため、位置登録の失敗回数が（所定期間内に）所定回数より多いかどうかが判定され（ステップＳ９１３）、位置登録の失敗回数が所定回数以下の場合は、通常の無線基地局１２０の配下での待ち受け状態に遷移して（ステップＳ９１６）、処理を終了する。位置登録の失敗回数が所定回数より多い場合は、上位装置１１０がホーム無線基地局１２０ａに報知情報の送信を制限するための指示信号を送信する（ステップＳ９１４）。指示信号を受信したホーム無線基地局１２０ａは、報知情報の送信を制限し（ステップＳ９１５）、通常の無線基地局１２０の配下での待ち受け状態に遷移して（ステップＳ９１６）、処理を終了する。
【００７９】
なお、上述したように、当該待ち受け状態に遷移した移動機１３０に係る、以降の位置登録要求については、上位装置１１０には通知されず、ホーム無線基地局１２０ａから移動機１３０に折り返して失敗した旨の返信メッセージが通知される。
【００８０】
また、無線基地局１２０に、登録されている移動機１３０の情報を記憶する記憶部と、位置登録要求があった移動機１３０が当該記憶部に記憶されているかどうかを判定する判定部とを備え、当該判定部が判定した結果、登録されていなければ位置登録を失敗した旨の通知を移動機１３０に返信し、登録されていれば、上位装置１１０に通知して位置登録を行うようにしてもよい。
【００８１】
このように、本実施形態に係る無線ネットワークシステムによれば、移動機ごとの位置登録の失敗に関する失敗情報を管理し、当該失敗情報に基づいて、所定の期間内にある回数以上の位置登録を失敗した移動機がある場合には、報知情報の送信間隔を長く、又は送信停止に制御するため、登録されていない移動機による繰り返しの無駄な位置登録を防止することができる。
【００８２】
また、無線基地局で失敗回数を管理することで、失敗回数が所定回数以上ある移動機からの位置登録要求を上位装置に通知しないように制御することができ、上位装置の処理輻輳を軽減することができる。
【００８３】
（本発明の第５の実施形態）
本実施形態に係る無線ネットワークシステムについて、図１０を用いて説明する。図１０は、本実施形態に係る無線ネットワークシステムを構成する装置の機能ブロック図である。
【００８４】
本実施形態に係る無線ネットワークシステムは、移動機と専用の無線基地局との距離に関する距離情報を登録し、登録された距離情報に基づいて前記報知情報の送信を制御するものである。
【００８５】
登録されている移動機１３０と無線基地局１２０ａとの距離がわかることで、移動機１３０がホーム無線基地局１２０ａに近づいたときだけ報知情報の送信を行うように制御する。登録されている移動機１３０がホーム無線基地局１２０ａから離れている場合は、位置登録シーケンスを動作させる必要がないため、報知情報の送信を停止させておく。
【００８６】
移動機１３０の位置情報は、セル単位の位置情報を求めてもよいし、ＧＰＳにより正確な緯度、経度の位置情報を求めてもよい。そして、求めた位置情報から、無線基地局１２０ａの配下でありエリア１２１ａまでの距離を登録する。
【００８７】
（１．構成）
以下に、本実施形態に係る無線ネットワークシステムの構成について説明する。なお、ここでは、第１、ないし第４の実施形態に係る無線ネットワークシステムの説明と重複する説明については省略する。
【００８８】
図１０において、図２の場合と異なるのは、移動機情報２０５の移動機ごとの情報に「ホーム無線基地局までの距離」の項目が追加されている点である。この距離情報の登録は、上述したように、移動機１３０があるセルの位置に基づいて算出して登録してもよいし、ＧＰＳによる移動機１３０の位置情報に基づいて算出して登録されてもよい。
【００８９】
報知情報制御部２１５は、ホーム無線基地局までの距離を常時監視し、登録されている全ての移動機１３０ａがホーム無線基地局１２０ａから所定の距離（例えば、数メートル、数キロ、数ブロック等）以上離れている場合には、報知情報の送信を停止するための制御指示信号をホーム無線基地局１２０ａに通知する。また、登録されている移動機１３０ａが１つでもホーム無線基地局１２０ａから所定の距離以内に近づいた場合には、報知情報の送信の停止を解除するための制御指示信号をホーム無線基地局１２０ａに通知する。
【００９０】
なお、登録されている移動機１３０ａとホーム無線基地局１２０ａとの距離に応じて、報知情報を送信する送信間隔を制御するようにしてもよい。例えば、移動機１３０ａが前記所定の距離から近づくに連れて報知情報の送信間隔を短くし、ホーム無線基地局１２０ａの配下であるエリア１２１ａに移動したときには、通常の間隔で報知情報を送信するように制御してもよい。
【００９１】
また、前記所定の距離内にある移動機１３０ａの数に応じて、報知情報を送信する送信間隔を制御するようにしてもよい。例えば、登録された移動機１３０ａが所定の距離内に移動した数が増えるに連れて報知情報の送信間隔を短くし、登録された全ての移動機１３０ａが所定の距離内に移動したときは、通常の間隔で報知情報を送信するようにしてもよい。
【００９２】
さらに、図５に示すように、無線基地局１２０に移動機在圏数５１０、図７に示すように、位置情報管理サーバ１１５にスケジュール管理部７１０、並びに図８に示すように無線基地局１２０に移動機基本情報２０５、及び失敗回数８１０を備える構成であってもよい。
以上が、本実施形態に係る無線ネットワークシステムの構成についての説明である。
【００９３】
（２．動作）
以下に、本実施形態に係る無線ネットワークシステムの動作について説明する。本実施形態においては、移動機情報２０５の「ホーム無線基地局までの距離」が常時更新されており、当該ホーム無線基地局までの距離情報に基づいて、報知情報制御部２１５が報知情報の送信間隔を制限するための指示信号、又は制限を解除するための指示信号をホーム無線基地局１２０に送信する。指示信号を受信した無線基地局１２０は、当該指示信号に基づいて、報知情報の送信間隔を制御する。
なお、移動機１３０の位置登録における無線ネットワークシステム１の動作は、上記各実施形態の場合と同じであるため説明は省略する。
【００９４】
このように、本実施形態に係る無線ネットワークシステムによれば、移動機と専用の無線基地局との距離に関する距離情報を登録し、登録された距離情報に基づいて報知情報の送信を制御するため、登録されている全ての移動機が専用の無線基地局のエリアから離れた位置にある場合には、報知情報の送信を停止することで、登録されていない移動機による位置登録シーケンスの動作を防止することができる。
【００９５】
以上の前記各実施形態により本発明を説明したが、本発明の技術的範囲は実施形態に記載の範囲には限定されず、これら各実施形態に多様な変更又は改良を加えることが可能である。そして、かような変更又は改良を加えた実施の形態も本発明の技術的範囲に含まれる。このことは、特許請求の範囲及び課題を解決する手段からも明らかなことである。
【００９６】
（その他の実施形態）
前記各実施形態に関して次の付記を示す。
【００９７】
（付記１）任意の移動機の無線通信を制御する専用の無線基地局の処理を制御する通信制御装置において、前記専用の無線基地局から周期的に送信される、前記移動機の在圏状態を制御するための同期用信号、及び前記移動機が位置登録を行うために必要なシステムに関する報知情報に基づいて、前記移動機から送信された位置情報を、当該移動機ごとに登録する位置情報登録手段と、前記位置情報登録手段に登録された位置情報に基づいて、前記専用の無線基地局に対して、前記報知情報の送信を制限するための指示信号を送信する制限指示信号送信手段とを備える通信制御装置。
【００９８】
（付記２）付記１に記載の通信制御装置において、前記専用の無線基地局が制御する移動機が複数登録されており、前記制限指示信号送信手段が、前記専用の無線基地局における前記登録された移動機の在圏数に基づいて、前記報知情報の送信間隔の長短、送信停止、及び送信開始を指示する通信制御装置。
【００９９】
（付記３）付記１又は２に記載の通信制御装置において、前記位置情報登録手段が、前記移動機ごとのスケジュールに関するスケジュール情報を登録し、前記制限指示信号送信手段が、前記位置情報登録手段に登録されたスケジュール情報に基づいて前記報知情報の送信の制御を指示する通信制御装置。
【０１００】
（付記４）付記１ないし３のいずれかに記載の通信制御装置において、前記制限指示信号送信手段が、前記移動機ごとの位置登録の失敗に関する失敗情報に基づいて、所定の期間内にある回数以上の位置登録を失敗した移動機がある場合には、報知情報の送信間隔を長く、又は送信停止を指示する通信制御装置。
【０１０１】
（付記５）付記１ないし４のいずれかに記載の通信制御装置において、前記位置情報登録手段が、前記移動機と前記専用の無線基地局との距離に関する距離情報を登録し、前記制限指示信号送信手段が、前記位置情報登録手段に登録された距離情報に基づいて前記報知情報の送信の制御を指示する通信制御装置。
【０１０２】
（付記６）任意の移動機の無線通信を制御する専用の無線基地局を有する無線ネットワークシステムにおいて、前記移動機の在圏状態を制御するための同期用信号、及び前記移動機が位置登録を行うために必要なシステムに関する報知情報を、前記専用の無線基地局から周期的に送信する周期信号送信手段と、前記周期信号送信手段が送信する同期用信号、及び報知情報を受信して、前記移動機の位置情報を送信する位置情報送信手段と、前記位置情報送信手段が送信した位置情報を、前記移動機ごとに登録する位置情報登録手段と、前記位置情報登録手段に登録された位置情報に基づいて、前記専用の無線基地局からの前記報知情報の送信を制限する報知情報送信制御手段とを備える無線ネットワークシステム。
【０１０３】
（付記７）付記６に記載の無線ネットワークシステムにおいて、前記専用の無線基地局が制御する移動機が複数登録されており、前記報知情報送信制御手段が、前記専用の無線基地局における前記登録された移動機の在圏数に基づいて、前記報知情報の送信間隔の長短、送信停止、及び送信開始を制御する無線ネットワークシステム。
【０１０４】
（付記８）付記６又は７に記載の無線ネットワークシステムにおいて、前記位置情報登録手段が、前記移動機ごとのスケジュールに関するスケジュール情報を登録し、前記報知情報送信制御手段が、前記位置情報登録手段に登録されたスケジュール情報に基づいて前記報知情報の送信を制御する無線ネットワークシステム。
【０１０５】
（付記９）付記６ないし８のいずれかに記載の無線ネットワークシステムにおいて、前記移動機ごとの位置登録の失敗に関する失敗情報を管理する失敗情報管理手段を備え、前記報知情報送信制御手段が、前記失敗情報管理手段にて管理される失敗情報に基づいて、所定の期間内にある回数以上の位置登録を失敗した移動機がある場合には、報知情報の送信間隔を長く、又は送信停止に制御する無線ネットワークシステム。
【０１０６】
（付記１０）付記６ないし９のいずれかに記載の無線ネットワークシステムにおいて、前記位置情報登録手段が、前記移動機と前記専用の無線基地局との距離に関する距離情報を登録し、前記報知情報送信制御手段が、前記位置情報登録手段に登録された距離情報に基づいて前記報知情報の送信を制御する無線ネットワークシステム。
【０１０７】
（付記１１）任意の移動機の無線通信を制御する専用の無線基地局の処理を制御する通信制御方法において、前記専用の無線基地局から周期的に送信される、前記移動機の在圏状態を制御するための同期用信号、及び前記移動機が位置登録を行うために必要なシステムに関する報知情報に基づいて、前記移動機から送信された位置情報を、当該移動機ごとに登録する位置情報登録ステップと、前記位置情報登録ステップで登録された位置情報に基づいて、前記専用の無線基地局に対して、前記報知情報の送信を制限するための指示信号を送信する制限指示信号送信ステップとを含む通信制御方法。
【０１０８】
（付記１２）付記１１に記載の通信制御方法において、前記専用の無線基地局が制御する移動機が複数登録されており、前記制限指示信号送信ステップで、前記専用の無線基地局における前記登録された移動機の在圏数に基づいて、前記報知情報の送信間隔の長短、送信停止、及び送信開始が指示される通信制御方法。
【０１０９】
（付記１３）付記１１又は１２に記載の通信制御方法において、前記位置情報登録ステップで、前記移動機ごとのスケジュールに関するスケジュール情報が登録され、前記制限指示信号送信ステップで、前記位置情報登録ステップにて登録されたスケジュール情報に基づいて前記報知情報の送信の制御が指示される通信制御方法。
【０１１０】
（付記１４）付記１１ないし１３のいずれかに記載の通信制御方法において、前記制限指示信号送信ステップで、前記移動機ごとの位置登録の失敗に関する失敗情報に基づいて、所定の期間内にある回数以上の位置登録を失敗した移動機がある場合には、報知情報の送信間隔を長く、又は送信停止が指示される通信制御方法。
【０１１１】
（付記１５）付記１１ないし１４のいずれかに記載の通信制御方法において、前記位置情報登録ステップで、前記移動機と前記専用の無線基地局との距離に関する距離情報が登録され、前記制限指示信号送信ステップで、前記位置情報登録ステップにて登録された距離情報に基づいて前記報知情報の送信の制御が指示される通信制御方法。
【０１１２】
（付記１６）任意の移動機の無線通信を制御する専用の無線基地局の処理を制御するようにコンピュータを機能させる通信制御プログラムにおいて、前記専用の無線基地局から周期的に送信される、前記移動機の在圏状態を制御するための同期用信号、及び前記移動機が位置登録を行うために必要なシステムに関する報知情報に基づいて、前記移動機から送信された位置情報を、当該移動機ごとに登録する位置情報登録手段、前記位置情報登録手段に登録された位置情報に基づいて、前記専用の無線基地局に対して、前記報知情報の送信を制限するための指示信号を送信する制限指示信号送信手段としてコンピュータを機能させる通信制御プログラム。
【０１１３】
（付記１７）付記１６に記載の通信制御プログラムにおいて、前記専用の無線基地局が制御する移動機が複数登録されており、前記制限指示信号送信手段が、前記専用の無線基地局における前記登録された移動機の在圏数に基づいて、前記報知情報の送信間隔の長短、送信停止、及び送信開始を指示する通信制御プログラム。
【０１１４】
（付記１８）付記１６又は１７に記載の通信制御プログラムにおいて、前記位置情報登録手段が、前記移動機ごとのスケジュールに関するスケジュール情報を登録し、前記制限指示信号送信手段が、前記位置情報登録手段に登録されたスケジュール情報に基づいて前記報知情報の送信の制御を指示する通信制御プログラム。
【０１１５】
（付記１９）付記１６ないし１８のいずれかに記載の通信制御プログラムにおいて、前記制限指示信号送信手段が、前記移動機ごとの位置登録の失敗に関する失敗情報に基づいて、所定の期間内にある回数以上の位置登録を失敗した移動機がある場合には、報知情報の送信間隔を長く、又は送信停止を指示する通信制御プログラム。
【０１１６】
（付記２０）付記１６ないし１９のいずれかに記載の通信制御プログラムにおいて、前記位置情報登録手段が、前記移動機と前記専用の無線基地局との距離に関する距離情報を登録し、前記制限指示信号送信手段が、前記位置情報登録手段に登録された距離情報に基づいて前記報知情報の送信の制御を指示する通信制御プログラム。
【図面の簡単な説明】
【０１１７】
【図１】第１の実施形態に係る無線ネットワークシステムのシステム構成図である。
【図２】第１の実施形態に係る無線ネットワークシステムを構成する装置の機能ブロック図である。
【図３】第１の実施形態に係る無線ネットワークシステムの動作を示すフローチャートである。
【図４】第１の実施形態に係る無線ネットワークシステムの動作を説明するための図である。
【図５】第２の実施形態に係る無線ネットワークシステムを構成する装置の機能ブロック図である。
【図６】第２の実施形態に係る無線ネットワークシステムの動作を示すフローチャートである。
【図７】第３の実施形態に係る無線ネットワークシステムを構成する装置の機能ブロック図である。
【図８】第４の実施形態に係る無線ネットワークシステムを構成する装置の機能ブロック図である。
【図９】第４の実施形態に係る無線ネットワークシステムの動作を示すフローチャートである。
【図１０】第５の実施形態に係る無線ネットワークシステムを構成する装置の機能ブロック図である。
【図１１】移動機の位置登録までの流れを示す図である。
【符号の説明】
【０１１８】
１  無線ネットワークシステム
１１０  上位装置
１１５  位置情報管理サーバ
１２０  無線基地局
１２１  エリア
１３０  移動機
２０５  移動機情報
２０５ａ  移動機基本情報
２１１  サーバアクセス部
２１２  位置登録制御部
２１３  上位側制御信号送受信部
２１４  ホーム情報判定部
２１５  報知情報制御部
２２１  基地局側制御信号送受信部（有線）
２２２  無線制御部
２２３  基地局側制御信号送受信部（無線）
５１０  移動機在圏数
７１０  スケジュール管理部
８１０  失敗回数監視部
【図１】
2010098596.tif 000003
【図２】
2010098596.tif 000004
【図３】
2010098596.tif 000005
【図４】
2010098596.tif 000006
【図５】
2010098596.tif 000007
【図６】
2010098596.tif 000008
【図７】
2010098596.tif 000009
【図８】
2010098596.tif 000010
【図９】
2010098596.tif 000011
【図１０】
2010098596.tif 000012
【図１１】
2010098596.tif 000013